(57)【要約】【課題】噴射ノズルをボディに強固に固定するトリガー式噴出器を提供する。【解決手段】本発明のトリガー式噴出器10は、操作レバー11を繰り返し牽曳して容器内の内容液を吸引・加圧するポンプＰ1と、このポンプＰ1によって加圧された内容液を噴射ノズル13に向けて送給する送給経路12ａを有するボディ12と、このボディ12の送給経路12ａの開口側に配したプランジャ15と、このプランジャ15をスプリングｓで弾性支持するプランジャアダプタ16とを備え、スプリングｓの弾性力を超える液圧によってプランジャ15が噴射ノズル13を開放するものであって、ボディ12に、外向きに突出する凸部17を有しプランジャ15を包囲して噴射ノズル13の背面に嵌合する環状壁16を設け、噴射ノズル13の背面に、凸部17に係合する開口19を有しボディ12の環状壁16を包囲する外壁18を設けてなる。【選択図】図１
2005288256.tif 000002
【特許請求の範囲】
【請求項１】
操作レバーを繰り返し牽曳して容器内の内容液を吸引・加圧するポンプと、このポンプによって加圧された内容液を噴射ノズルに向けて送給する送給経路を有するボディと、このボディの送給経路の開口側で弾性支持されその弾性力を超える液圧によって開放される弁体とを備えるトリガー式噴出器であって、
前記ボディに、外向きに突出する凸部を有し前記弁体を包囲して前記噴射ノズルの背面に嵌合する環状壁を設け、前記噴射ノズルの背面に、前記凸部に係合する凹部又は開口を有し前記ボディの環状壁を包囲する外壁を設けたことを特徴とするトリガー式噴出器。
【請求項２】
前記凸部は、前記外壁を押し上げる傾斜面又は曲面を備えることを特徴とする請求項１に記載のトリガー式噴出器。
【請求項３】
前記外壁は、その端縁内側に、前記凸部を案内する傾斜面又は曲面を備えることを特徴とする請求項１又は２に記載のトリガー式噴出器。
【請求項４】
前記噴射ノズルの前面に、内容液の噴射口を塞ぐ蓋を設けたことを特徴とする請求項１乃至３のいずれか一項に記載のトリガー式噴出器。
【発明の詳細な説明】
【技術分野】
【０００１】
本発明は、操作レバーを繰り返し牽曳して容器内の内容液を吸引・加圧するポンプと、このポンプによって加圧された内容液を噴射ノズルに向けて送給する送給経路を有するボディと、このボディの送給経路側で弾性支持されその弾性力を超える液圧によって開放される弁体とを備えるトリガー式噴出器に関するものである。
【背景技術】
【０００２】
トリガー式噴出器としては、噴射ノズルからの内容液（カビ取り剤・住居用洗剤・住居用ワックス・衣料用仕上げ剤・衣料用糊剤・整髪剤などの化粧品・殺虫剤ほか）を霧状または泡状に噴射するものが一般的であり、噴射ノズルをボディの先端に回転可能に嵌合させる技術は既知である（例えば、特許文献１参照。）。
【０００３】
【特許文献１】実公昭６０−２７４８４号公報
【０００４】
しかしながら、こうした従来技術の場合、噴射ノズルの背面に環状溝とボディの先端に設けた環状壁とをアンダーカット等の手段で固定するのみであったため、噴射ノズルをボディに強固に固定する点において改善の余地があった。また、噴射ノズルがボディに対して回転する場合、噴射ノズルとボディとの相互間に緩みが生じて気密性が低下することも考慮して設計しなければならない。
【発明の開示】
【発明が解決しようとする課題】
【０００５】
本発明の解決すべき課題は、こうした事実に鑑みてなされたものであり、噴射ノズルをボディに強固に固定するトリガー式噴出器を提供することにある。
【課題を解決するための手段】
【０００６】
本発明は、操作レバーを繰り返し牽曳して容器内の内容液を吸引・加圧するポンプと、このポンプによって加圧された内容液を噴射ノズルに向けて送給する送給経路を有するボディと、このボディの送給経路の開口側で弾性支持されその弾性力を超える液圧によって開放される弁体とを備えるトリガー式噴出器であって、前記ボディに、外向きに突出する凸部を有し前記弁体を包囲して前記噴射ノズルの背面に嵌合する環状壁を設け、前記噴射ノズルの背面に、前記凸部に係合する凹部又は開口を有し前記ボディの環状壁を包囲する外壁を設けたことを特徴とするものである。
【０００７】
本発明において、前記凸部は、前記外壁を押し上げる傾斜面又は曲面を備えることが好ましい。また、本発明において、前記外壁は、その端縁内側に、前記凸部を案内する傾斜面又は曲面を備えることが好ましい。更に、本発明において、前記噴射ノズルの前面に、内容液の噴射口を塞ぐ蓋を設けることが好ましい。
【発明の効果】
【０００８】
本発明によれば、ボディにその送給経路の開口側に配した弁体を包囲する環状壁を設けてこの環状壁を噴射ノズルの背面に嵌合させると共に、前記噴射ノズルの背面に外壁を設けてこの外壁に形成した凹部又は開口と前記環状壁に形成した外向きに突出する凸部とを係合させることにより、噴射ノズルをボディに強固に固定することができる。従って、本発明によれば、落下等の衝撃に強く耐久性に優れ、かつ、噴射ノズルとボディとの相互間に緩みを生じることなく気密性に優れたトリガー式噴出器を提供することができる。また、本発明においては、ボディにその送給経路の開口側に弁体を配したことから、噴射口までの残存空間が極僅かとなり、アフタードローなど、噴射後、弁体から噴射口に至る空間に残存した内容液のボタ落ち（液垂れ）の発生を防止することができ、液切れの良い微細で安定した噴霧を実現できる。
【０００９】
加えて、本発明において、前記凸部に、前記外壁を押し上げる傾斜面又は曲面を設ければ、環状壁の凸部と外壁の凹部又は開口との係合が容易になり、組み付け作業性がよい。また、本発明において、外壁の端縁内側に、前記凸部を案内する傾斜面又は曲面を設けても、環状壁の凸部と外壁の凹部又は開口との係合が容易になり、組み付け作業性がよい。この場合、環状壁の凸部と、外壁の端縁内側との両方に傾斜面又は曲面を設ければ、組み付け作業性が最も良い。更に、本発明において、その噴射ノズルの前面に、内容液の噴射口を塞ぐ蓋を設ければ、噴射後の内容液の漏洩防止を更に確実にすることが可能になると共に、固化し易い内容液に対してはその固化防止機能を持たせたトリガー式噴出器を提供することができる。
【発明を実施するための最良の形態】
【００１０】
以下、図面を参照して本発明を詳細に説明する。
【００１１】
図１は、本発明の第一の形態であるトリガー式噴出器10の縦断面図であって、符号11は、操作レバー、符号12は、操作レバー11を繰り返し牽曳して図示せぬ容器の液体を吸引、加圧するピストン及びシリンダからなる既知のポンプＰ1を備えるボディである。このボディ12は、容器の内部に通じるチューブＴを備え装着リングＲを介して容器の口部（図省略。）に取り付けられるインテークＩと、このインテークＩに保持されポンプＰ1の作用によって開閉する吸入弁(ボール弁)Ｂと、この吸入弁Ｂから供給されポンプＰ1によって加圧された内容液を噴射ノズル13に向けて送給する送給経路12ａを有する。
【００１２】
また、ボディ12の送給経路12ａの開口側には、噴射ノズル13を開閉するプランジャ(弁体)14が配置され、このプランジャ14は、スプリングｓ1を介してプランジャアダプタ15により弾性支持されている。プランジャアダプタ15は、送給経路12ａを貫通するスペーサ15ａを有し、このスペーサ15ａの外周に設けた単数又は複数のスプライン溝15ｇを経て加圧された内容液をプランジャ14に向けて送給する。これにより、プランジャ14に向けて送給された内容液の圧力がスプリングｓ1の弾性力を超えると噴射ノズル13から離間して該噴射ノズル13の噴射口13ａを開放し、内容液を外部に噴射する。この場合、スペーサ15ａを送給経路12ａに貫通させたことにより、余分な空間をより少なくでき、初期吸い上げ回数の低減とアフタードローなど、噴射後の内容液のボタ落ち（液垂れ）の発生を防止することができ、液切れの良い微細で安定した噴霧を実現できる。
【００１３】
更に、ボディ12は、その先端に、プランジャ14をプランジャアダプタ15と共に包囲収納する環状壁16を一体に備える。環状壁16は、噴射ノズル13の背面に設けた環状溝13ｇに対してアンダーカット嵌合され、その上部外周には外向きに突出する凸部17が形成されている。また、噴射ノズル13の背面には、環状壁16を包囲する外壁18を一体に備え、この外壁18には、環状壁16の凸部17と係合する開口19が形成されている。
【００１４】
かかる構成によれば、ボディ12に送給経路12ａの開口側に配したプランジャ14を包囲する環状壁16を設けてこの環状壁16を噴射ノズル13の環状溝13ｇに嵌合させると共に、噴射ノズル13の背面に外壁18を設けてこの外壁18に形成した開口19と環状壁16に形成した外向きに突出する凸部17とを係合させることにより、噴射ノズル13をボディ12に強固に固定することができる。従って、本形態のトリガー式噴出器10は、従来に比べて、落下等の衝撃に強く耐久性に優れ、かつ、噴射ノズル13とボディ12との相互間に緩みを生じることなく気密性に優れる。また、本形態においては、ボディ12にその送給経路12ａの開口側にプランジャ14を配したことから、噴射口13ａまでの残存空間が極僅かとなり、アフタードローなど、噴射後の内容液のボタ落ち（液垂れ）の発生を防止することができ、液切れの良い微細で安定した噴霧を実現できる。
【００１５】
また、本形態にあっては、環状壁16の凸部17に、外壁18を押し上げる傾斜面17ｆを備える。かかる構成によれば、環状壁16の凸部17と外壁18の開口19との係合が容易になり、組み付け作業性がよい。更に、本形態においては、ボディ12に取り付けられるカバーＣ1の先端Ｃeが噴射ノズル13の外壁後端18ｅと整列している。かかる構成によれば、開口19が目視できるため、廃棄等に伴いボディ13から噴射ノズル13を分解する場合も作業が容易になる。
【００１６】
図２(ａ),(ｂ)はそれぞれ、本発明の第二の形態であるトリガー式噴出器20の上面図及び縦断面図である。なお、本形態において、図１と同一部分は同一符号を以ってその説明を省略する。
【００１７】
本形態において、ボディ22は、操作レバー21を繰り返し牽曳して図示せぬ容器の液体を吸引、加圧するポンプＰ2を備え、第１の形態と同様、吸入弁Ｂから供給されポンプＰ2によって加圧された内容液を噴射ノズル23に向けて送給する送給経路22ａを有する。
【００１８】
また、ボディ22の送給経路22ａの開口側には、第一の形態と同様、噴射ノズル23を開閉するプランジャ24が配置され、このプランジャ24は、スプリングｓ2を介してプランジャアダプタ25により弾性支持されている。プランジャアダプタ25も、送給経路22ａを貫通するスペーサ25ａを有し、このスペーサ25ａの外周に設けた単数又は複数のスプライン溝25ｇを経て加圧された内容液をプランジャ24に向けて送給する。これにより、プランジャ24に向けて送給された内容液の圧力がスプリングｓ2の弾性力を超えると噴射ノズル23から離間して該噴射ノズル23の噴射口23ａを開放する。この場合も、スペーサ25ａを送給経路22ａに貫通させたことにより、余分な空間をより少なくでき、初期吸い上げ回数の低減とアフタードローなど、噴射後の内容液のボタ落ち（液垂れ）の発生を防止することができ、液切れの良い微細で安定した噴霧を実現できる。
【００１９】
更に、本形態も、ボディ22は、その先端に、プランジャ24をプランジャアダプタ25と共に包囲収納する環状壁26を一体に備え、この環状壁26は、噴射ノズル23の背面に設けた環状溝23ｇに対して嵌合され、その上部外周には外向きに突出する凸部27が形成されている。また、噴射ノズル23も、その背面に、環状壁26を包囲する外壁28を一体に備え、この外壁28には、環状壁26の凸部27と係合する開口29が形成されている。
【００２０】
かかる構成の場合も、ボディ22に送給経路22ａの開口側に配したプランジャ24を包囲する環状壁26を設けてこの環状壁26を噴射ノズル23の環状溝23ｇに嵌合させると共に、噴射ノズル23の背面に外壁28を設けてこの外壁28に形成した開口29と環状壁26に形成した外向きに突出する凸部27とを係合させることにより、噴射ノズル23をボディ22に強固に固定することができる。従って、本形態のトリガー式噴出器20も、落下等の衝撃に強く耐久性に優れ、かつ、噴射ノズル23とボディ22との相互間に緩みを生じることなく気密性に優れる。この場合も、ボディ22にその送給経路22ａの開口側にプランジャ24を配したことから、噴射口23ａまでの残存空間が極僅かとなり、アフタードローなど、噴射後の内容液のボタ落ち（液垂れ）の発生を防止することができ、液切れの良い微細で安定した噴霧を実現できる。
【００２１】
特に、本形態にあっては、噴射ノズル23の前面に、内容液の噴射口23ａを塞ぐ蓋23ｈがピポット23ｐによって回動自在に支持されており、プランジャ24と共により完全な漏洩防止と内容液の固化による噴射口23ａの目詰まり防止の効果を提供することができる。
【００２２】
また、本形態においては、環状壁26の凸部27に、噴射ノズル23の外壁28を押し上げる傾斜面27ｆに加えて、外壁28の端縁28ｅの内側に、凸部27を案内する傾斜面28ｆが設けられている。かかる構成によれば、環状壁26の凸部27と外壁28の開口29との係合が更に容易になり、組み付け作業性が最もよい。なお、組み付け作業性をよくするには、外壁28の端縁28ｅの内側に傾斜面28ｆを設けるだけでも勿論よい。
【００２３】
更に、本形態においては、ボディ22に取り付けられるカバーＣ2が外壁28の開口29ｎを覆い隠している。かかる構成によれば、外観形状の美しいトリガー式噴出器を提供することができる。
【００２４】
上述したところは、本発明のいくつかの形態を例示したに過ぎず、用途に応じて様々に設計変更することができる。例えば、ボディの環状壁に形成した凸部は、符号17，27で説明の如く、その縦断面形状が直角三角形であるものが好ましいが、その角形、半円形などであってもよい。また、噴射ノズルの外壁に形成した開口19,29も、凸部17，27が係合できるものであれば、外部に開口することなく凹んだ凹部であってもよい。
【図面の簡単な説明】
【００２５】
【図１】本発明の第一の形態であるトリガー式噴出器の縦断面図である。
【図２】(ａ),(ｂ)はそれぞれ、本発明の第二の形態であるトリガー式噴出器の上面図及び縦断面図である。
【符号の説明】
【００２６】
10    トリガー式噴出器
11    操作レバー
12    ボディ
13    噴射ノズル
14    プランジャ(弁体)
15    プランジャアダプタ
16    環状壁
17    凸部
18    外壁
19    開口
20    トリガー式噴出器
21    操作レバー
22    ボディ
23    噴射ノズル
23ｈ  蓋(漏洩防止蓋、固化防止蓋)
24    プランジャ(弁体)
25    プランジャアダプタ
26    環状壁
27    凸部
28    外壁
29    開口
【図１】
2005288256.tif 000003
【図２】
2005288256.tif 000004